(57)【要約】【課題】制御の困難な光の放射を抑制しながら装置を小型化する。【解決手段】導光体１９を光透過性部材によって形成する。導光体１９は本体部２１と突出部２２とを有する。本体部２１は棒状である。突出部２２は本体部２１の長手方向の端面の一部から長手方向に突出する。【選択図】図２
2016092446.tif 000002
【特許請求の範囲】
【請求項１】
棒状の本体部と、前記本体部の長手方向の端面の一部から前記長手方向に向かって突出する突出部とを備え、
光透過性部材により形成される
ことを特徴とする導光体。
【請求項２】
請求項１に記載の導光体であって、
前記突出部は反射層を有する
ことを特徴とする導光体。
【請求項３】
請求項１または２に記載の導光体を備える照明装置。
【請求項４】
請求項３に記載の照明装置と、
前記導光体の長手方向に垂直な光軸である光学系とを備える
ことを特徴とする画像読取装置。
【発明の詳細な説明】
【技術分野】
【０００１】
本発明は、被写体にライン状の光を照射する導光体、照明装置、および画像読取装置に関するものである。
【背景技術】
【０００２】
スキャナやファクシミリなどの画像読取装置においては、ライン状に原稿面を照明し、照明された原稿面の光学像を光学系により結像させ、光学像をラインセンサに撮像させることにより画像が読取られる。ライン状に原稿面を照明するために、棒状の導光体の長手方向端面に、ＬＥＤなどの光源から発する光を内部に入光させ、導光体内部を伝播する光の一部を反射、散乱させる照明装置が知られている（特許文献１参照）。
【先行技術文献】
【特許文献】
【０００３】
【特許文献１】特開２０１２−１２４８３６号公報
【発明の概要】
【発明が解決しようとする課題】
【０００４】
上述のような導光体を用いた照明装置においては、照度分布の均一化が求められ、特に光源と導光体の間隙からの漏れ光の放射は光源近傍において照度分布に大きな影響を与えるため、その抑制が求められる。特許文献１においては、光源近傍に遮光屋根を設け、漏れ光の防止が図られていた。しかし、特許文献１において漏れ光を防止するためには、光源を十分な長さの遮光屋根で覆う必要があるため、導光体による照明のために必要な長手方向の長さを確保すると、照明装置全体を小型化することが困難であった。
【０００５】
したがって、かかる事情に鑑みてなされた本発明の目的は、漏れ光の放射を抑制しながら長手方向における装置全体の小型化が可能な導光体、照明装置、および画像読取装置を提供することにある。
【課題を解決するための手段】
【０００６】
上述した諸課題を解決すべく、第１の観点による導光体は、
棒状の本体部と、前記本体部の長手方向の端面の一部から前記長手方向に向かって突出する突出部とを備え、
光透過性部材により形成された
ことを特徴とするものである。
【０００７】
また、第２の観点による導光体においては、
前記突出部は反射層を有する
ことが好ましい。
【０００８】
また、第３の観点による照明装置は、
棒状の本体部と、前記本体部の長手方向の端面の一部から前記長手方向に向かって突出する突出部とを有し、光透過性部材により形成された導光体を備える
ことを特徴とするものである。
【０００９】
また、第４の観点による画像読取装置は、
棒状の本体部と、前記本体部の長手方向の端面の一部から前記長手方向に向かって突出する突出部とを有し、光透過性部材により形成された導光体を有する照明装置と、
前記導光体の長手方向に垂直な光軸である光学系とを備える
ことを特徴とするものである。
【発明の効果】
【００１０】
上記のように構成された本発明に係る導光体、照明装置、および画像読取装置によれば、漏れ光の放射を抑制しながら長手方向における装置全体の小型化が可能である。
【図面の簡単な説明】
【００１１】
【図１】本発明の一実施形態に係る照明装置を有する画像読取装置の、主走査方向の中心位置における、概略的な断面図である。
【図２】図１の照明装置の長手方向に平行な平面に沿った断面図である。
【図３】図２の導光体の外観を示す斜視図である。
【図４】図２の導光体において、散乱部が設けられた散乱部配置面を示す平面図である。
【図５】図３の反射層により反射された光の軌跡を示す、導光体の長手方向の端部近傍の拡大図である。
【発明を実施するための形態】
【００１２】
以下、本発明を適用した導光体の実施形態について、図面を参照して説明する。
【００１３】
図１は、本発明の一実施形態に係る導光体を有する画像読取装置１０の概略的な側面図である。画像読取装置１０は、搬送ローラ１１、第１のガイド板１２、第２のガイド板１３、照明装置１４、結像光学系１５、およびラインセンサ１６を含んで、構成される。図１において、紙面に垂直な方向を主走査方向、左右方向を副走査方向とする。
【００１４】
第１のガイド板１２および第２のガイド板１３が、主走査方向および副走査方向に平行、且つ所定の搬送幅の間隔をあけて固定される。図においては、理解のために大きな間隔をあけて配置されるが、実際には、原稿をガイド可能な程度の僅かな間隔である。２本の搬送ローラ１１は、主走査方向に平行な直線を軸に回動自在で、搬送ローラ１１の回転により押出される原稿が第１のガイド板１２および第２のガイド板１３の間に導入される位置に、軸支される。２本の照明装置１４は、後述するように棒状であり、棒状の長手方向が主走査方向と平行、且つ、第１のガイド板１２側に固定される。結像光学系１５は、光軸ＬＸが照明装置１４の長手方向に垂直で、且つ２本の照明装置１４の間を通るように、固定される。ラインセンサ１６は、長手方向が主走査方向に平行、且つラインセンサ１６の長手方向中心が結像光学系１５の光軸ＬＸに重なるように、固定される。
【００１５】
搬送ローラ１１は、読取対象の原稿を第１のガイド板１２および第２のガイド板１３の間に供給する。第１のガイド板１２および第２のガイド板１３は、原稿および結像光学系１５の間隔を一定の間隔に維持しながら、原稿をガイドする、搬送路１７を形成する。第１のガイド板１２はガラスなどの透明部材により形成され、第１のガイド板１２の外側から照射される照明光は第１のガイド板１２を透過して原稿を照明可能であり、照明された原稿の反射光は第１のガイド板１２を透過可能である。照明装置１４は、照明光を長手方向の側面から放射させる。結像光学系１５は、例えば被写体を縮小結像する縮小光学系または等倍結像する等倍光学系であって、照明装置１４により線状に照明された原稿面の光学像を結像させる。ラインセンサ１６は、結像光学系１５が結像した光学像を撮像する。
【００１６】
次に、照明装置１４の構成について、以下に詳細に説明する。図２に示すように、照明装置１４は、光源１８、導光体１９、および筐体２０を含んで、構成される。
【００１７】
光源１８は、例えばＬＥＤであり、比較的大きな放射角で照明光を放射する。光源１８は、導光体１９の長手方向の少なくとも一方の端、本実施形態では両端に設けられる。
【００１８】
導光体１９は、例えばアクリルおよびポリカーボネートなどの光透過性部材によって一体的に形成される、本体部２１および突出部２２を有する。本体部２１は、棒状である。本体部２１には、図３に示すように、長手方向に垂直な断面における輪郭の一部に、長手方向の両端に亘る平面状の散乱部配置面２３が形成される。導光体１９において、散乱部配置面２３に対向する面がライン状の光を放射する放射面２４として用いられる。突出部２２は、本体部２１の長手方向の少なくとも一方の端面２５の一部から長手方向に突出する。突出部２２は、導光体１９の長手方向に垂直な断面における重心より放射面２４側に形成される。突出部２２は、好ましくは、長手方向に延びる面に反射層２６を有する。
【００１９】
散乱部配置面２３には、散乱部２７が設けられる。散乱部２７は、例えば、散乱部配置面２３に塗布した、白塗料層であって、導光体１９の内部から入射する光を散乱する。散乱部２７は、長手方向に連続的または間欠的に延在する。散乱部２７の幅方向の長さは一定であっても、長手方向の位置に応じて変動してもよい。図４に示すように、本実施形態では、散乱部２７は、長手方向に連続し、長手方向の任意の位置、例えば中心位置ＣＰから離間するに連れて幅方向の長さが増加する形状を有する。
【００２０】
上述のように、導光体１９は、画像読取装置１０における主走査方向と、照明装置１４の長手方向、すなわち導光体１９の長手方向とが平行となるように配置される。また、導光体１９は、図１に示すように、２つの導光体１９、１９の散乱部２７の長手方向の中心位置ＣＰにおける幅方向の中心位置を通る、それぞれの散乱部配置面２３の法線ＮＶが、搬送路１７近傍において交わるように、散乱部配置面２３を第１のガイド板１２の板面に対して傾斜させて、導光体１９は固定される。
【００２１】
筐体２０は、導光体１９の放射面２４を露出させるように、形成される（図１、２参照）。筐体２０は、光源１８の少なくとも１部が長手方向において導光体１９の突出部２２に重なるように、光源１８を設置した基板２９および導光体１９を保持する。
【００２２】
上述の構成の照明装置１４において、光源１８から放射した照明光は、導光体１９の端面２５から導光体１９内に入光する。導光体１９内に入光した照明光は、長手方向に対して多様な角度の光成分を有しており、側面への入射角が臨界角未満の光成分は、散乱部２７への入射を除いて、側面を透過して外部に出射する。また、導光体１９の内部に透過した照明光の中で、側面への入射角が臨界角以上の光成分は全反射する。散乱部２７以外の側面で全反射を繰返しながら、照明光の一部の光成分が長手方向に沿って導光体１９の内部を伝播する。導光体１９内部で伝播される照明光の光成分が散乱部２７に入射するときに、当該光成分は散乱される。散乱された光の、放射面２４に向かう光成分の一部は放射面２４で全反射し、残りは放射面２４を透過して導光体１９から出射する。
【００２３】
以上のような構成の本実施形態の照明装置によれば、突出部２２を有するので、光源１８から放射した照明光の、導光体１９の端面２５の外部に伝播した光成分を、導光体１９内を伝播させてから放射面２４から放射させ得る。したがって、当該光成分は、導光体１９内で一部は減衰され得、また放射面２４において一部が反射され得る。それゆえ、光源１８から放射する照明光の放射面２４側に向かい、且つ端面２５に入射しなかった光成分、すなわち漏れ光が大きな光量のまま放射面２４から放射されることが抑制される。また、突出部２２を設けることにより、放射面２４側に遮光屋根を設ける必要が無いので、遮光屋根を用いた必要な遮光を実現させるために導光体１９を長くする必要も無い。したがって、長手方向における、照明装置１４全体の小型化が可能である。
【００２４】
また、本実施形態の照明装置によれば、突出部２２は反射層２６を有するので、光源１８から放射され、端面２５の範囲外で放射面２４側に向かう照明光の光成分の光量が、大きく減衰され得る。また、図５に示すように、当該光成分は反射層２６に反射された後、導光体１９内で伝播され、原稿面を照明する光成分として使用可能となる。それゆえ、突出部２２が反射層２６を有することにより、照明装置１４が原稿面を照明する光の光量を向上可能である。
【００２５】
本発明を諸図面や実施例に基づき説明してきたが、当業者であれば本開示に基づき種々
の変形や修正を行うことが容易であることに注意されたい。従って、これらの変形や修正
は本発明の範囲に含まれることに留意されたい。
【符号の説明】
【００２６】
１０  画像読取装置
１１  搬送ロータ
１２  第１のガイド板
１３  第２のガイド板
１４  照明装置
１５  結像光学系
１６  ラインセンサ
１７  搬送路
１８  光源
１９  導光体
２０  筐体
２１  本体部
２２  突出部
２３  散乱部配置面
２４  放射面
２５  端面
２６  反射層
２７  散乱部
２９  基板
ＣＰ  中心位置
ＬＸ  光軸
ＮＶ  法線
【図１】
2016092446.tif 000003
【図２】
2016092446.tif 000004
【図３】
2016092446.tif 000005
【図４】
2016092446.tif 000006
【図５】
2016092446.tif 000007